(57)【要約】      （修正有）【課題】堰板にばたを押圧して締め付けた時、堰板が外側へ引出され、膨出変形する恐れの無いコンクリート型枠締付金具及び締過ぎ防止用堰板受け具の提供。【解決手段】型枠の堰板に対接される締付用ねじ杆５と、押え金具４と、押え金具を介して堰板に対しばたを押圧する締付用ねじ杆の他端部に螺合した締付ナット９と、締付用ねじ杆に嵌合される締過ぎ防止用堰板受け具とより成る。この受け具は、締付用ねじ杆に嵌合する筒状部７と、堰板に対接される一端面と、ばたに対接する他端面とを有する筒状部と一体の座片１３とより成り、筒状部と座片の接続部側面に締付用ねじ杆を挿入するための開口と、筒状部の中心孔と、開口間を連通するクランク通路とを有する。クランク通路の一部は、締付用ねじ杆の側面に縮径部のみを通過する大きさにその通路断面を狭めるための突出部分を有する。筒状部と座片とが２つ割りした２個の互いに着脱自在に結合する堰板受け具素子により構成する。【選択図】  図１
2005061124.tif 000002
【特許請求の範囲】
【請求項１】
コンクリート型枠の堰板に対接される一端を有する締付用ねじ杆と、押え金具と、この押え金具を介して堰板に対しばたを押圧するため上記締付用ねじ杆の他端部に螺合した締付ナットと、上記締付用ねじ杆に嵌合される締過ぎ防止用堰板受け具とより成り、上記締過ぎ防止用堰板受け具が、上記締付用ねじ杆に嵌合される筒状部と、上記堰板に対接される一端面と上記ばたに対接される他端面とを有する、上記筒状部と一体の座片とより成ることを特徴とするコンクリート型枠締付金具。
【請求項２】
コンクリート型枠の堰板にばたを押圧するための締付用ねじ杆に嵌合される筒状部と、上記堰板に対接される一端面と上記ばたに対接される他端面とを有する、上記筒状部と一体の座片とより成ることを特徴とする締過ぎ防止用堰板受け具。
【請求項３】
コンクリート型枠の堰板にばたを押圧するための締付用ねじ杆に嵌合される筒状部と、上記堰板に対接される一端面と上記ばたに対接される他端面とを有する、上記筒状部と一体の座片と、上記筒状部と座片の接続部側面に形成した、上記締付用ねじ杆を挿入するための開口と、上記筒状部の中心孔と上記開口間を連通するクランク通路とより成ることを特徴とする締過ぎ防止用堰板受け具。
【請求項４】
上記締付用ねじ杆の側面に形成された縮径部のみを通過する大きさにその通路断面を狭めるための突出部分を上記クランク通路の一部に有することを特徴とする請求項３記載の締過ぎ防止用堰板受け具。
【請求項５】
上記筒状部と座片とがこれらを２つ割りした２個の互いに着脱自在に結合される堰板受け具素子により構成されていることを特徴とする請求項２，３または４記載の締過ぎ防止用堰板受け具。
【発明の詳細な説明】
【技術分野】
【０００１】
本発明はコンクリート型枠締付金具及び締過ぎ防止用堰板受け具に関するものである。
【背景技術】
【０００２】
従来のこの種のコンクリート型枠締付金具としては、特許文献１に記載された考案がある。
【特許文献１】実開平４−７５０５１号公報（第５図）。
【０００３】
図１０は上記従来のコンクリート型枠締付金具を示し、１はベニヤ板等の堰板、２は堰板１に対接した丸パイプ状の縦ばた、３はこの縦ばた２に対接した丸パイプ状の横ばた、４はこの横ばた３に対接される押え座金、５は、上記縦ばた２、横ばた３、押え座金４を通して延びる締付用ねじ杆、６は上記ねじ杆５の一端に固定した鍔、７はこのねじ杆５に嵌合した、上記ねじ杆５の鍔６の内面にその一端が対接される堰板受け具の筒状部、８はこの筒状部７の他端部両側に一体に突出せしめた、その一面が上記横ばた３に対接される座片、９は上記縦ばた２及び横ばた３を上記押え座金４を介して上記堰板１に押圧するよう締付用ねじ杆５に螺合したナット、１０は上記堰板１の外面に上記ねじ杆５の鍔６の外面を固定するよう上記ねじ杆５の一端に、堰板１の内面側より螺合した堰板用ねじ杆、１１は上記堰板１の内面に接するよう上記ねじ杆１０に固定したストッパー、１２は互いに対向する堰板１，１間に打設されたコンクリート壁である。
【０００４】
このような従来のコンクリート型枠締付金具においては、締付用ねじ杆５に螺合したナット９を締め付ければ押え座金４を介して横ばた３と縦ばた２が堰板１に押し付けられ、このとき座片８、筒状部７及び鍔６が横ばた３と堰板１間の間隔片として機能し、ナット９を強く締め付けても堰板１が外側へ膨出変形するのが防止され、常に堰板１を平坦に保ってコンクリート壁１２を正確に形成し得るようになっている。
【発明の開示】
【発明が解決しようとする課題】
【０００５】
然しながら、上記従来のコンクリート型枠締付金具においては堰板１の膨出変形を阻止するのは堰板１に対接される鍔６のみであり、この鍔６の面積が小さいため締付過ぎの場合堰板１の変形を完全に防ぐことはできないことが確認された。
【０００６】
また、一般に上記締付用ねじ杆５の、鍔６と反対側の端部はナット９の抜け止めのためねじ山をつぶしているため一旦組み立てた後は締付用ねじ杆５から筒状部７と座片８とより成る堰板受け具を離脱することができず、締付用ねじ杆５が腐食その他によって破損した場合にはこれらを一体に廃棄せざるを得ず、コスト高となる欠点があった。
【０００７】
本発明はこのような欠点を除くようにしたものである。
【課題を解決するための手段】
【０００８】
本発明のコンクリート型枠締付金具は、コンクリート型枠の堰板に対接される一端を有する締付用ねじ杆と、押え金具と、この押え金具を介して堰板に対しばたを押圧するため上記締付用ねじ杆の他端部に螺合した締付ナットと、上記締付用ねじ杆に嵌合される締過ぎ防止用堰板受け具とより成り、上記締過ぎ防止用堰板受け具が、上記締付用ねじ杆に嵌合される筒状部と、上記堰板に対接される一端面と上記ばたに対接される他端面とを有する、上記筒状部と一体の座片とより成ることを特徴とする。
【０００９】
また、本発明の締過ぎ防止用堰板受け具は、コンクリート型枠の堰板にばたを押圧するための締付用ねじ杆に嵌合される筒状部と、上記堰板に対接される一端面と上記ばたに対接される他端面とを有する、上記筒状部と一体の座片とより成ることを特徴とする。
【００１０】
また、本発明の締過ぎ防止用堰板受け具は、コンクリート型枠の堰板にばたを押圧するための締付用ねじ杆に嵌合される筒状部と、上記堰板に対接される一端面と上記ばたに対接される他端面とを有する、上記筒状部と一体の座片と、上記筒状部と座片の接続部側面に形成した、上記締付用ねじ杆を挿入するための開口と、上記筒状部の中心孔と上記開口間を連通するクランク通路とより成ることを特徴とする。
【００１１】
また、本発明の締過ぎ防止用堰板受け具は、上記締付用ねじ杆の側面に形成された縮径部のみを通過する大きさにその通路断面を狭めるための突出部分を上記クランク通路の一部に有することを特徴とする。
【００１２】
また、本発明の締過ぎ防止用堰板受け具は、上記筒状部と座片とがこれらを２つ割りした２個の互いに着脱自在に結合される堰板受け具素子により構成されていることを特徴とする。
【発明の効果】
【００１３】
本発明のコンクリート型枠締付金具及び締過ぎ防止用堰板受け具によれば、ナット９を締め過ぎても、堰板１は締付用ねじ杆５の鍔６の面のみならず、座片１３の端面全体によって保持されその変形が完全に防止されるようになる。
【００１４】
また、上記筒状部７と座片８とより成る堰板受け具を従来のコンクリート型枠締付用ねじ杆５に対し簡単に着脱自在としたので、設計通りの寸法を確保できると共に、その修理交換が極めて容易となり、コストを低下することができる。
【発明を実施するための最良の形態】
【００１５】
以下図面によって本発明の実施例を説明する。
【実施例１】
【００１６】
本発明の実施例１においては図１に示すように堰板受け具の筒状部７に一体の座片として堰板１に接する一端面と、上記横ばた３に対接される他端面とを有する座片１３を用いる。
【００１７】
本発明の上記実施例１によればナット９を回した時の締付力が過剰となっても、堰板１は座片１３の端面によって広く支持されるため、膨出、変形を生じないようになる。
【実施例２】
【００１８】
本発明の実施例２においては図２〜図５に示すように堰板受け具を、筒状部７と、これに一体の座片１３を軸方向に２つ割りとした一方及び他方の受け具素子１４ａ，１４ｂとによって形成せしめ、この一方及び他方の受け具素子１４ａ，１４ｂの互いに対向する面部分に夫々内面方向に突出する切り起し１５ａ，１５ｂを形成し、この切り起しによって生じた孔１６ａ，１６ｂ内に夫々上記切り起し１５ａ，１５ｂを嵌合することによって一方及び他方の受け具素子１４ａ，１４ｂが互いに結合されるようにする。
【００１９】
この実施例２によれば堰板受け具を締付用ねじ杆５から着脱自在となし得る。
【実施例３】
【００２０】
本発明の実施例３においては図６及び図７に示すように堰板受け具の筒状部７とこれに一体の座片１３の接続部側面に締付用ねじ杆５を挿入する大きさの開口１７を形成し、上記堰板受け具の筒状部７の中心孔１８と上記開口１７間をクランク通路１９によって連通し、このクランク通路１９の一部には通路断面を狭めるための突出部分２０を形成し、この狭まった通路を通過できるよう図８に示すように締付用ねじ杆５の対向する両側部分に縮径平坦部２１を形成する。
【００２１】
なお、２２は上記鍔６が嵌合するよう堰板受け具の筒状部７の端面に形成した溝である。
【００２２】
本発明のこの実施例３によれば、締付用ねじ杆５を上記開口１７に挿入し、その向きを調節してその縮径平坦部２１が上記突出部分２０によって狭められたクランク通路１９を通過できるようにすることによって上記中心孔１８内に挿入することができ、この後締付用ねじ杆５を図９に示すように筒状部７に相対的に軸方向に移動せしめれば、中心孔１８から上記クランク通路１９を介して外部に抜け出ることがないようになる。
【産業上の利用可能性】
【００２３】
本発明のコンクリート型枠締付金具及び締過ぎ防止用堰板受け具は上記のような構成であるから堰板の外側への引出、変形を防止し、常に堰板を平坦に保って型枠を堅固に締付けることができ、コンクリート壁を正確に形成し得るようになる。
【００２４】
また、締付用ねじ杆から筒状部と座片を有する堰板受け具を簡単に離脱することができるため、締付用ねじ杆が腐食その他によって破損した場合にはこれらを一体に廃棄する必要がなく、コストを低減できるようになる。
【図面の簡単な説明】
【００２５】
【図１】本発明のコンクリート型枠締付金具の縦断正面図である。
【図２】本発明のコンクリート型枠締過ぎ防止用堰板受け具の一方の受け具素子の正面図である。
【図３】図２に示す一方の受け具素子の横断平面図である。
【図４】本発明の堰板受け具の他方の受け具素子の横断平面図である。
【図５】図４に示す他方の受け具素子の横断平面図である。
【図６】本発明の堰板受け具の他の実施例の正面図である。
【図７】図６に示す堰板受け具のＡ−Ａ線断面図である。
【図８】締付用ねじ杆の正面図である。
【図９】図６に示す堰板受け具の使用状態説明図である。
【図１０】従来のコンクリート型枠締付金具の縦断正面図である。
【符号の説明】
【００２６】
１    堰板
２    縦ばた
３    横ばた
４    座金
５    ねじ杆
６    鍔
７    筒状部
８    座片
９    ナット
１０    堰板用ねじ杆
１１    ストッパー
１２    コンクリート壁
１３    座片
１４ａ  受け具素子
１４ｂ  受け具素子
１５ａ  切り起し
１５ｂ  切り起し
１６ａ  孔
１６ｂ  孔
１７    開口
１８    中心孔
１９    クランク通路
２０    突出部分
２１    縮径平坦部
２２    溝
【図１】
2005061124.tif 000003
【図２】
2005061124.tif 000004
【図３】
2005061124.tif 000005
【図４】
2005061124.tif 000006
【図５】
2005061124.tif 000007
【図６】
2005061124.tif 000008
【図７】
2005061124.tif 000009
【図８】
2005061124.tif 000010
【図９】
2005061124.tif 000011
【図１０】
2005061124.tif 000012